(57)【要約】【課題】可動盤面部品に駆動力を伝達するためのギヤ機構において、遊技盤の後方に配置されたギヤがプリント基板上に搭載されたＬＥＤ、電子部品等を搭載する際のレイアウト制限をもたらすことを防止すると共に、ギヤの取付け不良を目視で容易に確認したり、取付け不良を解消するための作業を容易化する。【解決手段】遊技盤３自体、或いは該遊技盤の後方に設けた軸受部材５１により回転自在に軸支された軸部材５２と、該軸部材の後部に装着されるギヤ２２、３２と、ＬＥＤ５５を前面に搭載したプリント基板５０と、を備えたパチンコ遊技機において、前記軸部材の後部は前記プリント基板の後方に突出し、ギヤをプリント基板よりも後方に突出した軸部材の後部に装着した。【選択図】図４
2009195337.tif 000002
【特許請求の範囲】
【請求項１】
遊技盤自体、或いは該遊技盤の後方に設けた軸受部により回転自在に軸支された軸部材と、該軸部材の後部に装着されるギヤと、ＬＥＤを前面に搭載したプリント基板と、を備えたパチンコ遊技機において、
前記軸部材の後部は前記プリント基板の後方に突出し、
前記ギヤを前記プリント基板よりも後方に突出した軸部材の後部に装着したことを特徴とするギヤの取付け構造。
【請求項２】
前記軸受部を前記プリント基板に設けたことを特徴とする請求項１に記載のギヤの取付け構造。
【請求項３】
前記軸部材の前部は前記遊技盤の前方に突出し、該軸部材の前部に可動盤面部品を取り付けたことを特徴とする請求項１、又は２に記載のギヤの取付け構造。
【請求項４】
請求項１乃至３の何れか一項に記載のギヤの取付け構造を備えたことを特徴とする遊技盤。
【請求項５】
請求項４に記載の遊技盤を備えたことを特徴とするパチンコ遊技機。
【発明の詳細な説明】
【技術分野】
【０００１】
本発明は、遊技盤面上において動作する可動盤面部品にモータからの駆動力を伝達するためのギヤの取付け位置を改善して組付け手数を大幅に低減したギヤの取付け構造、遊技盤、及びパチンコ遊技機に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の可変表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、特許文献１には大当たりになると図柄表示装置の表示内容に連動して役物等の可動部品を前後方向に移動させる技術が開示されている。
【０００３】
また、本出願人の提案に係る特許文献２には、遊技盤の盤面と平行な左右方向へ往復移動する第１可動役物と、遊技盤の前後方向へ往復移動する第２可動役物と、を備えた役物装置が開示されている。これによれば、遊技内容の複雑、高度化に対応した演出を実現することができる。
何れの従来技術にあってもモータからの駆動力をギヤ機構を用いて可動盤面部品に伝達してこれを動作させるように構成されている。
従来、遊技盤の背面側にギヤを配置する場合、図５に示すように、遊技盤１００の背面側に配置した支持板１０１に設けた軸受孔（軸受部）１０２内に棒状の軸部材１０３を抜け落ち不能且つ回転自在に軸支すると共に、軸部材１０３の後端部にギヤ１０５の軸孔を差し込んでからギヤ１０５の後面から突出する軸部材の外周にＥリング（Ｅ型止め輪）１０６を係着させることにより、ギヤの抜け落ちを防止している。軸部材１０３の前部は遊技盤１００に設けた穴１００ａから前方へ突出しており、軸部材の前部には可動盤面部品１１０が固定されている。ギヤ１０５に対して図示しないモータからの駆動力が伝達されることにより、軸部材１０３及び可動盤面部品１１０を回転駆動させる。
【０００４】
一方、可動盤面部品による動作と連動して光による電飾効果を発揮させるために、ＬＥＤ１１６を前面に搭載したプリント基板１１５をギヤ１０５の後方に配置し、ＬＥＤ１１６からの出射光を支持板１０１、及び遊技盤１００に設けた透光部（開口等）を介して前方へ出射されるように構成して電飾効果を発揮させている。
しかし、ギヤ１０５の後方にプリント基板１１５を配置すると、プリント基板上のＬＥＤ、その他の電子部品を搭載する箇所に制限が生じる。即ち、ギヤ１０５の後方に相当する基板面にＬＥＤや電子部品を搭載することができなくなる。例えば、ＬＥＤの配置箇所がギヤによって制限を受けるために電飾による表現の多様化を図るための設計自由度を著しく低下させる原因となっている。或いは、ギヤ１０５とＬＥＤ１１６との間に十分な間隔ｈを確保する必要が生じるために遊技盤１００と基板１１５間の距離が増大して薄型化に対する阻害要因となる。
【０００５】
更に、パチンコ遊技機を量産する工程では、後面が上向きとなるように作業台上に遊技盤を載置した状態で、軸受部１０２により軸支された各軸部材１０３の後部にギヤ１０５を取り付け、その後、ギヤ１０５を隠蔽するようにプリント基板１１５を組み付ける。この場合、プリント基板１１５を一旦組み付けてしまうと、プリント基板と遊技盤との間に隠蔽されているギヤの取付け状態を裏側から目視で確認することが不可能となる。仮に、一個のギヤが取付け不良状態にあるままで遊技盤の背面側にプリント基板を組み付けてしまった場合には、後でモータに通電した際に初めて作動不良、取付け不良の存在が判明し、その場合にはプリント基板を取り外した上での不良箇所の発見、修理を行う必要が生じる。このような作業は生産性を著しく低下させる原因となっている。
特に、Ｅリングを用いたギヤの固定作業は極めて煩雑な作業であり、しかも、一台のパチンコ遊技機に装備されるギヤの個数は多い場合には１０個を越えるため、一日に数千台のパチンコ遊技機を組み立てる量産工程においてギヤの取付け不良が発生する可能性が十分にある。このため、ギヤの後方にプリント基板を組み付ける従来構造では、不良品発生時の対応が困難化するという問題が深刻である。
【特許文献１】特開平０６−００７５０９号公報
【特許文献２】特願２００５−２１４１９７公報
【発明の開示】
【発明が解決しようとする課題】
【０００６】
従来、可動盤面部品に駆動力を伝達させるためのギヤ機構にあっては、遊技盤の後方に配置されたギヤの更に後方にプリント基板が配置されていたため、ギヤの取付け不良を看過したままプリント基板を組み付けた場合にはギヤ機構の作動不良が発生し、修理のための分解、再組立て手数が必要となり生産性が低下するという問題があった。また、ギヤの後方に相当する基板面にＬＥＤやＩＣ部品等を搭載することができないというレイアウト制限の問題や、ギヤの後方にＬＥＤを配置した場合には厚み方向寸法が増大して遊技機の大型化を招くという問題があった。
本発明は上記に鑑みてなされたものであり、可動盤面部品に駆動力を伝達するためのギヤ機構において、遊技盤の後方に配置されたギヤがプリント基板上に搭載されたＬＥＤ、電子部品等を搭載する際のレイアウト制限をもたらすことを防止すると共に、ギヤの取付け不良を目視で容易に確認したり、取付け不良を解消するための作業を容易化することができるギヤの取付け構造、遊技盤、及びパチンコ遊技を提供することを目的としている。
【課題を解決するための手段】
【０００７】
上記目的を達成するため、請求項１の発明に係るギヤの取付け構造は、遊技盤自体、或いは該遊技盤の後方に設けた軸受部材により回転自在に軸支された軸部材と、該軸部材の後部に装着されるギヤと、ＬＥＤを前面に搭載したプリント基板と、を備えたパチンコ遊技機において、前記軸部材の後部は前記プリント基板の後方に突出し、前記ギヤを前記プリント基板よりも後方に突出した軸部材の後部に装着したことを特徴とする。
ギヤをプリント基板の背面側に配置しているため、遊技盤の背面側にプリント基板を取付けた後であっても、ギヤの取付け状態を目視により確認でき、ギヤの取付け不良を看過することがなくなり、修理のための分解、再組立て手数が大幅に減少する。また、ギヤと基板面部品との干渉の虞が皆無となるため、これらの搭載部品のレイアウト制限の問題がなくなり、また厚み方向寸法が増大して遊技機の大型化を招くという不具合もなくなる。
請求項２の発明に係るギヤの取付け構造は、請求項１において、前記軸受部材を前記プリント基板に設けたことを特徴とする。
軸受部材をプリント基板と略同一位置に設けたので、厚み方向寸法を更に減縮することが可能となる。
請求項３の発明に係るギヤの取付け構造は、請求項１、又は２において、前記軸部材の前部は前記遊技盤の前方に突出し、該軸部材の前部に可動盤面部品を取り付けたことを特徴とする。
請求項４の発明に係る遊技盤は、請求項１乃至３の何れか一項に記載のギヤの取付け構造を備えたことを特徴とする。
請求項５の発明に係るパチンコ遊技機は、請求項４に記載の遊技盤を備えたことを特徴とする。
【発明の効果】
【０００８】
以上のように本発明では、可動盤面部品を駆動するために遊技盤の背面側に配置されるギヤ機構を構成するギヤをプリント基板の更に背面側に配置しているため、遊技盤の背面側にプリント基板を取付けた後であっても、ギヤの取付け状態を目視により確認でき、ギヤの取付け不良を看過することがなくなる。このため、プリント基板及びギヤの組付け完了後にギヤの作動不良が発生したとしても不良箇所の発見が容易となり、修理のための分解、再組立て手数が大幅に減少することなる。また、ギヤがプリント基板の背面側に位置しているためＬＥＤやＩＣ部品との干渉の虞が皆無となるため、これらの搭載部品のレイアウト制限の問題がなくなり、また厚み方向寸法が増大して遊技機の大型化を招くという不具合もなくなる。
【発明を実施するための最良の形態】
【０００９】
以下、本発明を図面に示した実施の形態により詳細に説明する。
図１は本発明の実施の形態に係るパチンコ遊技機の全体正面図であり、図２（ａ）及び（ｂ）は一つの可動盤面部品の構成を示す正面図、及び背面図であり、図３（ａ）及び（ｂ）は他の可動盤面部品の構成を示す正面図、及び背面図であり、図４はギヤとプリント基板の位置関係を示す断面図である。
この図に示すパチンコ遊技機１は、矩形形状の枠２を有し、この枠２の窓孔に対して裏側から遊技盤３が着脱可能に取り付けられている。
遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
【００１０】
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には、例えば遊技演出用のチャンスボタンや十字キーなどの操作部６や、遊技球の購入ボタンや購入取り消しボタンなどが設けられている。
遊技盤３の略中央には、図柄表示装置９が配置されている。図柄表示装置９は、例えば、液晶表示装置等の液晶表示パネルによって構成され、通常動作状態の時は図示しない特別図柄画像が表示される。また、所謂リーチ状態や特別遊技状態の時はそれぞれの遊技状態であることを示す演出画像等が表示される。
【００１１】
図柄表示装置９の下方には、図柄表示装置９の特別図柄を可変表示させるための可変入賞装置１１が設けられている。
また、図柄表示装置９の左側には、遊技盤３の右下部に配置された普通図柄表示装置１０に表示される普通図柄を作動させるためのゲート１２が設けられている。
さらに、可変入賞装置１１の下方には、特別遊技状態の一つである大当り状態のときに開成状態になる開閉扉を有する大入賞口１３が設けられている。
可変入賞装置１１は、図柄表示装置９を可変表示させるための上始動ポケット１４と、左右一対の開閉爪（可動片）を有する電動式チューリップ１７とを備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。
【００１２】
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
図柄表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット１４、又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。
その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。
【００１３】
次に、図２、図３に示すように図柄表示装置９の周囲には雪の結晶を象った大小様々なサイズの可動盤面部品２０、３０が配置されており、遊技の進行状況に応じて回転したり、揺動するように構成されている。
本実施形態においては、可動盤面部品２０、３０は、図２、図３に夫々示すように、図柄表示装置９の上方に配置された複数の雪結晶２１、３１から構成されている。更に、図４に示すように、各雪結晶２１、３１は、遊技盤３の背面側に固定配置されたプリント基板５０に設けた複数の軸受部材５１によって夫々回転自在に軸支された軸部材５２の先端部に固定される。各軸部材５２の後端部はプリント基板５０よりも後方に突出しており、各軸部材の後端部にはギヤ２２（２２ａ〜２２ｋ）、３２（３２ａ〜３２ｈ）の軸孔２２Ａ、３２Ａが夫々挿入されており、隣接し合う各ギヤ同志は噛合しており、各モータ２３、３３に夫々設けた出力ギヤとしてのウォームギヤ２３ａ、３３ａからの駆動力を受けて各軸部材５２を回転させる。各ギヤ２２、３２、各軸受部材５１、各軸部材５２及びモータ２３、３３は、ギヤ機構を構成している。
【００１４】
各軸部材５２の後端部は断面Ｄ字状に構成されており、各ギヤの軸孔は軸部材後端部に嵌合可能なＤ字状に開口形成されている。このため、軸部材後端部にギヤの軸孔を挿着すれば両者の相対回転を防止できる。
なお、軸受部材５１は、プリント基板５０に設けても良いし、遊技盤３自体に設けても良い。
本発明の特徴的な構成は、図４に示すように遊技盤３の背面側に配置されたプリント基板５０よりも更に背面側にギヤ２２、３２を配置することによって、プリント基板組付け後にギヤの組付け状態の良否を確認できるようにした点にある。即ち、軸部材５２の後端部に取り付けたギヤ２２、３２は、プリント基板５０よりも後方に位置しているため、隠蔽されることなく背面側からの組付け状態の検査が可能であり、組付け不良箇所が発見された場合には補修が容易である。また、前面にＬＥＤ５５を搭載したプリント基板の前方にはギヤ等の障害物が存在しないため、ＬＥＤ５５からの発光を効率的に前方へ出射させて電飾用に供することができるばかりでなく、プリント基板５０と遊技盤３との間の距離を減縮して遊技機全体の厚みを薄くすることができる。
【００１５】
次に、本発明の他の特徴的な構成は、プリント基板５０の背面側に配置されたギヤ機構の更に背面側に配置される背面カバー６０によって、全てのギヤ２２ａ〜２２ｋ、３２ａ〜３２ｈを一括して各軸部材５２の後端部に対して回転自在、且つ抜け落ち不能に押さえ込むように構成した点にある。
即ち、背面カバー６０には軸部材５２の後端部を回転自在に嵌合する孔６１（凹所であってもよい）を有し、孔６１の周縁部には軸部材に挿着された個々のギヤの背面中心部を摺動的に軸支する軸受部６２を備えている。軸受部６２は、その先端面でギヤの背面と摺接してギヤの回転を安定させるように円筒状に構成するのが好ましい。
このように本発明では、ギヤをプリント基板の更に背面側に配置しているため、取付け作業を繁雑化するＥリングを用いずに、複数の軸部材５２の後端部に夫々軸孔を挿着した各ギヤを一括して背面カバー６０によって回転自在且つ抜け落ち不能に抑えることが可能となる。
また、ギヤの取付け状態を目視により確認できるため、ギヤの取付け不良を看過することがなくなる。このため、プリント基板及びギヤの組付け完了後にギヤの作動不良が発生したとしても不良箇所の発見が容易となり、修理のための分解、再組立て手数が大幅に減少することとなる。また、ギヤがプリント基板の背面側に位置しているためＬＥＤやＩＣ部品との干渉の虞が皆無となるため、これらの搭載部品のレイアウト制限の問題がなくなり、また厚み方向寸法が増大して遊技機の大型化を招くという不具合もなくなる。
【図面の簡単な説明】
【００１６】
【図１】本発明の実施の形態に係るパチンコ遊技機の全体正面図である。
【図２】（ａ）及び（ｂ）は一つの可動盤面部品の構成を示す正面図、及び背面図である。
【図３】（ａ）及び（ｂ）は他の可動盤面部品の構成を示す正面図、及び背面図である。
【図４】ギヤとプリント基板の位置関係を示す断面図である。
【図５】従来例におけるギヤの抜け落ち防止構造を示す断面図である。
【符号の説明】
【００１７】
１…パチンコ遊技機、２…枠、３…遊技盤、４…皿部、５…発射レバー、６…操作部、１０…普通図柄表示装置、１１…可変入賞装置、１２…ゲート、１３…大入賞口、１４…上始動ポケット、１５…風車、１６…普通入賞口、１７…電動式チューリップ、１８…アウト口、２０、３０…可動盤面部品、２１、３１…雪結晶、２２、３２…ギヤ、２２Ａ、３２Ａ…軸孔、２３、３３…モータ、２３ａ…ウォームギヤ、５０…プリント基板、５１…軸受部材、５２…軸部材、５５…ＬＥＤ、６０…背面カバー、６１…孔、６２…軸受部
【図１】
2009195337.tif 000003
【図２】
2009195337.tif 000004
【図３】
2009195337.tif 000005
【図４】
2009195337.tif 000006
【図５】
2009195337.tif 000007